(57)【要約】      （修正有）【課題】容易に洗浄でき、ワインデカンタの着脱が容易にでき、構成が簡素且つ実用的である分離型ワインデカンタを提供する。【解決手段】分離型ワインデカンタは、ボトル本体１０と、ベース台２０と、モータユニット３０とを含む。ボトル本体の底面から、環状壁１１が下向きに延在して形成され、環状壁内には、スペーサ１２が設けられる。スペーサには、ボトル本体のキャビティに連通する貫通孔１３が設けられる。ベース台は、ベース台底面２１、外輪２２及び内輪２３を含む。外輪は、ベース台底面の外周に設置される。内輪は、ベース台底面上に設置され外輪内に位置し、環状壁に対応し、両者が互いに嵌合されスペーサと合わせて収容室を形成する。収容室内には、磁石２４が収容される。ベース台の下にモータユニットが設けられ、モータユニットは磁石を回転させてボトル本体に貯留される液体を撹拌する。【選択図】図１
0003214129.tif 000002
【実用新案登録請求の範囲】
【請求項１】
分離型ワインデカンタであって、
ボトル本体と、ベース台と、モータユニットとを含み、
前記ボトル本体の底面から、環状壁が下向きに突設して形成され、
前記環状壁内には、スペーサが設けられ、
前記スペーサには、前記ボトル本体のキャビティに連通する貫通孔が設けられ、
前記ベース台は、ベース台底面、外輪及び内輪を含み、
前記外輪は、前記ベース台底面の外周に設置され、
前記内輪は、前記ベース台底面上に設置されるとともに前記外輪内に位置し、
前記内輪は前記環状壁に対応し、両者が互いに嵌合されるとともに前記スペーサと合わせて収容室を形成し、
前記収容室内には、磁石が収容され、
前記ベース台の下には、前記モータユニットが設けられ、
前記モータユニットは前記磁石を回転させることで、前記ボトル本体における液体を撹拌することを特徴とする分離型ワインデカンタ。
【請求項２】
前記ベース台底面において、前記内輪内には漏れ阻止シールリングが設けられることを特徴とする請求項１に記載の分離型ワインデカンタ。
【請求項３】
前記ベース台底面の中部から、ボスが上向きに突設して形成され、
前記ボスと前記内輪との間には、環状溝が形成され、
前記漏れ阻止シールリングは、前記環状溝内に収容されることを特徴とする請求項２に記載の分離型ワインデカンタ。
【請求項４】
前記環状壁の外壁及び前記内輪の内壁には、互いに螺合される雄ねじ及び雌ねじがそれぞれ設けられることを特徴とする請求項１に記載の分離型ワインデカンタ。
【請求項５】
前記スペーサは、開口槽であり、
前記開口槽は、前記環状壁内に嵌められ、
前記開口槽の開放口は下向きであり、
槽の頂面には、複数の前記貫通孔が設けられることを特徴とする請求項１に記載の分離型ワインデカンタ。
【請求項６】
前記外輪と前記内輪との間には、前記外輪及び前記内輪を連結する複数の補強リブが均一に分布することを特徴とする請求項１に記載の分離型ワインデカンタ。
【請求項７】
前記外輪は、外側に向けてテーパ状に開放して形成されることを特徴とする請求項１に記載の分離型ワインデカンタ。
【請求項８】
前記ボトル本体は、中部にある胴部及び上部にある首部を有することを特徴とする請求項１に記載の分離型ワインデカンタ。
【請求項９】
前記ボトル本体の前記環状壁には、シールリングが更に設けられ、
前記シールリングは、前記ボトル本体と前記外輪との間の隙間を密閉することを特徴とする請求項１に記載の分離型ワインデカンタ。
【考案の詳細な説明】
【技術分野】
【０００１】
本考案は、ワインデカンタの技術分野に関し、具体的に、分離型ワインデカンタに関する。
【背景技術】
【０００２】
人々の生活水準の向上に伴って、赤ワインを飲むことは徐々に流行且つ健康的な生活習慣になっている。赤ワインを飲む前にデカンタが必要となる。現在、市販のワインデカンタの多くは、ボトル本体と、ボトル本体の下にモータユニットが配置されるベース台とを一体に設置するようになっている。しかしながら、このようなワインデカンタは大型化で、持ち運びに不利であるほか、洗浄に手間がかかる。
【考案の概要】
【考案が解決しようとする課題】
【０００３】
本考案は、従来技術において一体型ワインデカンタの大型化、使用や洗浄に手間がかかるといった欠点を解決するために、前記ボトル本体と前記ベース台とを分離して設けることで、前記ボトル本体を容易に洗浄可能な分離型ワインデカンタを提供することを目的とする。本考案に係る分離型ワインデカンタは容易に着脱することができ、構成が簡素且つ実用的である。
【課題を解決するための手段】
【０００４】
上記目的を達成するために、本考案の一実施形態に係る分離型ワインデカンタは、ボトル本体と、ベース台と、モータユニットとを含む。前記ボトル本体の底面から、環状壁が下向きに突設して形成される。前記環状壁内には、スペーサが設けられる。前記スペーサには、前記ボトル本体のキャビティに連通する貫通孔が設けられる。前記ベース台は、ベース台底面、外輪及び内輪を含む。前記外輪は、前記ベース台底面の外周に設置される。前記内輪は、前記ベース台底面上に設置されるとともに前記外輪内に位置する。前記内輪は前記環状壁に対応し、両者が互いに嵌合されるとともに前記スペーサと合わせて収容室を形成する。前記収容室内には、磁石が収容される。前記ベース台の下には、前記モータユニットが設けられる。前記モータユニットは前記磁石を駆動して回転させることで、前記ボトル本体における液体を撹拌する。
【０００５】
一実施形態では、前記ベース台底面において、前記内輪内には漏れ阻止シールリングが設けられる。
【０００６】
一実施形態では、前記ベース台底面の中部から、ボスが上向きに突設して形成される。前記ボスと前記内輪との間には、環状溝が形成される。前記漏れ阻止シールリングは、前記環状溝内に収容される。
【０００７】
一実施形態では、前記環状壁の外壁及び前記内輪の内壁には、互いに螺合される雄ねじ及び雌ねじがそれぞれ設けられる。
一実施形態では、前記スペーサは、開口槽である。前記開口槽は、前記環状壁内に嵌められる。前記開口槽の開放口は下向きである。槽の頂面には、複数の前記貫通孔が設けられる。
【０００８】
一実施形態では、前記外輪と前記内輪との間には、前記外輪及び前記内輪を連結する複数の補強リブが均一に分布する。
【０００９】
一実施形態では、前記外輪は、外側に向けてテーパ状に開放して形成される。
【００１０】
前記ボトル本体は、中部にある胴部及び上部にある首部を有する。
【００１１】
一実施形態では、前記ボトル本体の前記環状壁には、シールリングが更に設けられる。前記シールリングは、前記ボトル本体と前記外輪との間の隙間を密閉する。
【考案の効果】
【００１２】
本考案は以下の通りの効果を奏する。本考案に係る分離型ワインデカンタは、ボトル本体と、前記ボトル本体の下に設置されるベース台及びモータユニットとを含み、前記ボトル本体と前記ベース台が分離して設けられることで容易に洗浄することができ、ワインデカンタの着脱が容易にでき、構成が簡素且つ実用的である。
【図面の簡単な説明】
【００１３】
【図１】本考案の一実施形態に係る分離型ワインデカンタの構成を示す図である。
【図２】本考案の一実施形態に係る分離型ワインデカンタの他の構成を示す図である。
【図３Ａ】本考案の一実施形態に係る分離型ワインデカンタのベース台の構成を示す図である。
【図３Ｂ】本考案の一実施形態に係る分離型ワインデカンタのベース台の構成を示す分解図である。
【図４】図１及び図２で示される分離型ワインデカンタの組み立て構成を示す図である。
【図５Ａ】本考案の他の実施形態に係る分離型ワインデカンタの構成を示す分解図である。
【図５Ｂ】図５Ａで示される分離型ワインデカンタの組み立て構成を示す図である。
【考案を実施するための形態】
【００１４】
以下、本考案の目的、技術的特徴及び技術効果をより明確にするために、図面を参照しながら、本考案の好適な実施形態について詳しく説明する。なお、本考案は好適な実施形態を開示しているが、該実施形態は本考案を制限するものではない。
【００１５】
図１、図２及び図４に示すように、本実施形態に係る分離型ワインデカンタは、ボトル本体１０、ベース台２０及びモータユニット３０を含む。前記ベース台２０は、前記ボトル本体１０の下方に設置される。前記モータユニット３０は、前記ベース台２０の下方に設置される。
【００１６】
前記ボトル本体１０の底面から、環状壁１１が下向きに突設して形成される。前記環状壁１１内には、スペーサ１２が固着される。前記スペーサ１２には、前記ボトル本体１０のキャビティに連通する貫通孔１３が設けられる。
【００１７】
前記ベース台２０は、ベース台底面２１、外輪２２及び内輪２３を含む。前記外輪２２は、前記ベース台底面２１の外周に設置される。前記内輪２３は、前記ベース台底面２１に設置されるとともに前記外輪２２内に位置する。前記内輪２３は、前記環状壁１１に対応する。前記内輪２３及び前記環状壁１１は互いに嵌合されるとともに前記スペーサ１２と合わせて収容室を形成する。前記収容室内には、磁石２４が収容される。
【００１８】
前記ベース台２０の下には、前記モータユニット３０が設けられる。前記モータユニット３０は前記磁石２４を駆動して回転させることで、前記ボトル本体１０に貯留される液体を撹拌する。
【００１９】
図３Ａ及び図３Ｂに示すように、好ましくは、前記ボトル本体１０内における水漏れを防止するために、前記ベース台底面２１上において、前記内輪内には漏れ阻止シールリング２５が設けられる。前記環状壁１１は、前記シールリング２５に密に連結されることで、液体の漏れを防止することができる。
【００２０】
前記ベース台底面２１の中部から、ボス２８が上向きに突設して形成される。前記ボス２８と前記内輪２３との間には、環状溝２９が形成される。前記漏れ阻止シールリング２５は、前記環状溝２９内に収容される。
【００２１】
好ましくは、前記環状壁１１の外壁及び前記内輪２３の内壁には、互いに螺合される雄ねじ１４及び雌ねじ２６がそれぞれ設けられる。前記ボトル本体１０は、前記雄ねじ１４及び前記雌ねじ２６により、前記ベース台２０に着脱可能に連結される。デカンタが必要な場合、前記ボトル本体１０及び前記ベース台２０は、前記雄ねじ及び前記雌ねじにより連結される。洗浄時には、前記ボトル本体１０を前記ベース台２０から取り外し、取扱いに便利である。
【００２２】
好ましくは、前記スペーサ１２は、開口槽である。前記開口槽１２は、前記環状壁内に嵌められる。前記開口槽１２の開放口は下向きである。槽の頂面には、複数の前記貫通孔１３が設けられる。
【００２３】
好ましくは、前記外輪２２と前記内輪２３との間には、両者を連結する複数の補強リブ２７が均一に分布される。前記補強リブ２７により、前記外輪２２と前記内輪２３との連結をより強固にすることができる。
【００２４】
好ましくは、前記外輪２２は、外側に向けてテーパ状に開放して形成される。このような外観は見栄えの良いものであるほか、ボトル本体の着脱時に操作を行いやすくなる。
【００２５】
好ましくは、前記ボトル本体１０は、中部にある胴部１５及び上部にある首部１６を有する。前記胴部１５は、液体の貯留が可能である。前記首部１６により、前記ボトル本体１０を持ち運びやすくする。
【００２６】
好ましくは、図５Ａ及び図５Ｂに示すように、前記分離型ワインデカンタでは、前記ボトル本体１０の前記環状壁１１には、シールリング１７が更に設けられている。前記シールリング１７は、前記ボトル本体１０と前記外輪２２との間の隙間を密閉する。こうすることで、外観が見栄えの良いものであるほか、液体の漏れを防止することができる。
【００２７】
以上より、本考案の好ましい実施形態を前述の通り開示したが、これらは決して本考案を限定するものではない。本考案の主旨から逸脱しない範囲内において、当業者は各種の変更や置換を行うことができるほか、一連の製品から派生することもできる。したがって、若干の簡単な変更や置換だけでれば、何れも本考案の請求項で定めた保護範囲内に含まれるべきである。
【図１】
0003214129.tif 000003
【図２】
0003214129.tif 000004
【図３Ａ】
0003214129.tif 000005
【図３Ｂ】
0003214129.tif 000006
【図４】
0003214129.tif 000007
【図５Ａ】
0003214129.tif 000008
【図５Ｂ】
0003214129.tif 000009